(57)【要約】【課題】経路計算条件におけるスマートＩＣの使用可否に応じて、地図描画におけるスマートＩＣの表示態様を切り替えることにより、表示をわかりやすくすること。【解決手段】地図表示部３４（表示手段）が、施設を表すランドマークを含む地図を表示する（表示処理）。経路設定部３２（経路計算条件設定手段）が、経路計算の条件を、与えられる選択操作に応じて設定する（経路計算条件設定処理）。表示切替手段３５が、経路設定部３２で設定された条件に応じて所定のランドマーク（この例では、スマートＩＣ）の表示態様を切り替える（表示切替処理）。【選択図】図１
2008241390.tif 000002
【特許請求の範囲】
【請求項１】
出発地から目的地までの経路を案内するナビゲーション装置において、
施設を表すランドマークを含む地図を表示する表示手段と、
与えられる設定操作に応じて、経路計算の条件を設定する経路計算条件設定手段と、
前記経路計算条件設定手段で設定された条件に応じて所定のランドマークの表示態様を切り替える表示切替手段と、
を有することを特徴としたナビゲーション装置。
【請求項２】
前記経路計算条件設定手段は、
スマートＩＣを経路に含めて使用するかどうかを、受け付ける選択操作に応じて設定する、スマートＩＣ使用設定手段を有する
ことを特徴とした請求項１に記載のナビゲーション装置。
【請求項３】
前記表示切替手段は、
前記スマートＩＣ使用設定手段でスマートＩＣを使用しない設定をした場合にはスマートＩＣを非表示とする、スマートＩＣ非表示手段を有する
ことを特徴とした請求項２に記載のナビゲーション装置。
【請求項４】
前記表示切替手段は、前記スマートＩＣ使用設定手段でスマートＩＣを使用しない設定をした場合にはスマートＩＣを他のＩＣと区別して異なる表示態様により表示する、スマートＩＣ区別表示手段を有する
ことを特徴とした請求項２又は３に記載のナビゲーション装置。
【請求項５】
出発地から目的地までの経路を案内するナビゲーション装置の制御方法において、
演算制御部により表示手段と、経路計算条件設定手段と、表示切替手段と、を実現するとともに、
前記表示手段により、施設を表すランドマークを含む地図を表示する表示処理と、
前記経路計算条件設定手段により、与えられる設定操作に応じて、経路計算の条件を設定する経路計算条件設定処理と、
前記表示切替手段により、前記経路計算条件設定手段で設定された条件に応じて所定のランドマークの表示態様を切り替える表示切替処理と、
を含むことを特徴としたナビゲーション装置の制御方法。
【請求項６】
前記演算制御部により、前記経路計算条件設定手段において、スマートＩＣ使用設定手段を実現するとともに、
前記スマートＩＣ使用設定手段により、
スマートＩＣを経路に含めて使用するかどうかを、受け付ける選択操作に応じて設定する、スマートＩＣ使用設定処理を実行する
ことを特徴とした請求項５に記載のナビゲーション装置の制御方法。
【請求項７】
前記演算制御部により、前記表示切替手段において、スマートＩＣ非表示手段を実現するとともに、
前記スマートＩＣ非表示手段により、前記スマートＩＣ使用設定手段でスマートＩＣを使用しない設定をした場合にはスマートＩＣを非表示とする、スマートＩＣ非表示処理を実行する
ことを特徴とした請求項６に記載のナビゲーション装置の制御方法。
【請求項８】
前記演算制御部により、前記表示切替手段において、スマートＩＣ区別表示手段を実現するとともに、
前記スマートＩＣ区別表示手段により、前記スマートＩＣ使用設定手段でスマートＩＣを使用しない設定をした場合にはスマートＩＣを他のＩＣと区別して異なる表示態様により表示する、スマートＩＣ区別表示処理を実行する
ことを特徴とした請求項６又は７に記載のナビゲーション装置の制御方法。
【発明の詳細な説明】
【技術分野】
【０００１】
本発明は、ナビゲーション技術の改良に関する。
【背景技術】
【０００２】
近年、情報処理と無線通信技術の発達に伴い、高速道路のインターチェンジ（「ＩＣ」と呼ぶ）での料金収受を、車載機と路側機の間の無線通信で行うＥＴＣ（ノンストップ自動料金収受システム）の普及が進んでいる。
【０００３】
自動車等で目的地への経路案内を行ういわゆるナビゲーション装置でも、高速道路やＩＣについては、経路の探索や誘導案内で扱われ、ＥＴＣゲートの位置を案内するなどの提案も知られている（例えば、特許文献１参照）。
【０００４】
ＥＴＣを用いるＩＣとしては、無人運用のいわゆるスマートＩＣも導入が試みられているが、このようなスマートＩＣについても、従来は、ＩＣに準じた地図表示が行われていた。
【特許文献１】特開２００１−２２７９７６
【発明の開示】
【発明が解決しようとする課題】
【０００５】
ところで、ユーザによって、また時と場合によっては、精算の都合その他の事情でスマートＩＣを使う意思がなく、このため表示も不要な場合が考えられる。しかし、このような状況でも従来では、不要なスマートＩＣが依然として無駄に地図表示される分、画面表示が混雑するうえ、通常のＩＣとスマートＩＣの誤認を招く可能性もあり、表示の改善が潜在的に求められていた。
【０００６】
本発明は、上記のような従来技術の課題を解決するもので、その目的は、経路計算条件におけるスマートＩＣの使用可否に応じて、地図描画におけるスマートＩＣの表示態様を切り替えることにより、表示をわかりやすくすることである。
【課題を解決するための手段】
【０００７】
上記の目的をふまえ、請求項１の発明は、出発地から目的地までの経路を案内するナビゲーション装置において、施設を表すランドマークを含む地図を表示する表示手段と、与えられる設定操作に応じて、経路計算の条件を設定する経路計算条件設定手段と、前記経路計算条件設定手段で設定された条件に応じて所定のランドマークの表示態様を切り替える表示切替手段と、を有することを特徴とした。
【０００８】
請求項５の発明は、請求項１の発明を方法という見方から捉えたもので、出発地から目的地までの経路を案内するナビゲーション装置の制御方法において、演算制御部により表示手段と、経路計算条件設定手段と、表示切替手段と、を実現するとともに、前記表示手段により、施設を表すランドマークを含む地図を表示する表示処理と、前記経路計算条件設定手段により、与えられる設定操作に応じて、経路計算の条件を設定する経路計算条件設定処理と、前記表示切替手段により、前記経路計算条件設定手段で設定された条件に応じて所定のランドマークの表示態様を切り替える表示切替処理と、を含むことを特徴とした。
【０００９】
これらの態様では、経路計算の条件に反映される使用の意思に応じて、地図上でのスマートＩＣなどランドマークの表示態様を切り替えることにより、通常のＩＣとの混同による誤進入を防止するなど、表示をわかりやすくすることが可能となる。
【００１０】
請求項２の発明は、請求項１に記載のナビゲーション装置において、前記経路計算条件設定手段は、スマートＩＣを経路に含めて使用するかどうかを、受け付ける選択操作に応じて設定する、スマートＩＣ使用設定手段を有することを特徴とした。
【００１１】
請求項６の発明は、請求項２の発明を方法という見方から捉えたもので、請求項５に記載のナビゲーション装置の制御方法において、前記演算制御部により、前記経路計算条件設定手段において、スマートＩＣ使用設定手段を実現するとともに、前記スマートＩＣ使用設定手段により、スマートＩＣを経路に含めて使用するかどうかを、受け付ける選択操作に応じて設定する、スマートＩＣ使用設定処理を実行することを特徴とした。
【００１２】
これらの態様では、スマートＩＣを経路に含めるかという不可欠な経路計算条件設定に表示態様を連動させることで、煩わしい表示設定を不要とし、設定項目が多くなりがちな昨今のナビゲーションにおいても設定項目や操作をわかりやすく簡明化できる。
【００１３】
請求項３の発明は、請求項２に記載のナビゲーション装置において、前記表示切替手段は、前記スマートＩＣ使用設定手段でスマートＩＣを使用しない設定をした場合にはスマートＩＣを非表示とする、スマートＩＣ非表示手段を有することを特徴とした。
【００１４】
請求項７の発明は、請求項６に記載のナビゲーション装置の制御方法において、前記演算制御部により、前記表示切替手段において、スマートＩＣ非表示手段を実現するとともに、前記スマートＩＣ非表示手段により、前記スマートＩＣ使用設定手段でスマートＩＣを使用しない設定をした場合にはスマートＩＣを非表示とする、スマートＩＣ非表示処理を実行することを特徴とした。
【００１５】
これらの態様では、スマートＩＣについて、運転者等に特段の表示設定操作を求めることなく、経路計算条件設定に応じ地図上での表示／非表示を容易に制御するとともに、非表示の場合は地図上の多くなりがちな表示情報のうち無駄なスマートＩＣの表示を削減し、容易に地図の見易さを向上させることができる。
【００１６】
請求項４の発明は、請求項２又は３に記載のナビゲーション装置において、前記表示切替手段は、前記スマートＩＣ使用設定手段でスマートＩＣを使用しない設定をした場合にはスマートＩＣを他のＩＣと区別して異なる表示態様により表示する、スマートＩＣ区別表示手段を有することを特徴とした。
【００１７】
請求項８の発明は、請求項４の発明を方法という見方から捉えたもので、請求項６又は７に記載のナビゲーション装置の制御方法において、前記演算制御部により、前記表示切替手段において、スマートＩＣ区別表示手段を実現するとともに、前記スマートＩＣ区別表示手段により、前記スマートＩＣ使用設定手段でスマートＩＣを使用しない設定をした場合にはスマートＩＣを他のＩＣと区別して異なる表示態様により表示する、スマートＩＣ区別表示処理を実行することを特徴とした。
【００１８】
これらの態様では、スマートＩＣを一律に非表示とはせず、他のＩＣと区別して表示することにより、必要に応じユーザの自律的な判断を妨げず自主性を尊重可能となる。
【発明の効果】
【００１９】
以上のような本発明によれば、経路計算条件におけるスマートＩＣの使用可否に応じて、地図描画におけるスマートＩＣの表示態様を切り替えることにより、表示をわかりやすくすることが可能となる。
【発明を実施するための最良の形態】
【００２０】
次に、本発明を実施するための最良の実施形態について、図に沿って説明する。なお、背景技術や課題での説明と共通の前提事項については適宜省略する。
【００２１】
〔１．構成〕
本実施形態におけるナビゲーション装置（以下「本装置」と呼ぶ）は、車両に搭載して出発地から目的地までの経路を案内するもので、図１に示すように、液晶パネルなどの表示部１と、ＬＥＤ表示器やスイッチ類などのユーザインターフェース部２と、メインＣＰＵ及びその周辺回路である演算制御部３と、ＲＡＭやＲＯＭなどのメモリ４と、音声合成回路やスピーカなどの音声出力部５と、ＨＤＤ制御部６と、を有する。
【００２２】
また、本装置では、演算制御部３を所定のプログラムで制御することにより、図１に示す各部（例えば、現在位置検出部３０、目的地指定部３１、経路設定部３２、案内部３３、地図表示部３４、表示切替手段３５）を実現するが、これら各部は、本実施形態の各機能作用を実現実行する処理手段である。
【００２３】
また、ＨＤＤ制御部６は、ＨＤＤやＤＶＤ−ＲＯＭなどの大容量ないし外部記憶装置の代表例であり、スマートＩＣなど各種施設の種類と位置の情報を含む道路地図データを地図データベース（地図ＤＢ）などとして、予め記憶している。
【００２４】
なお、ジャイロやＧＰＳなどの測位システムを用いる現在位置検出部３０による自車位置検出、目的地指定部３１による施設検索や地図スクロールによる目的地の指定、案内部３３による経路探索や誘導案内、地図表示部３４によるスクロール等の地図表示、といったナビゲーション処理については、本発明の主要な特徴ではなく従来同様であるから省略する。
【００２５】
〔２．作用の概要〕
以上のような本装置では、地図表示部３４（表示手段）が、施設を表すランドマークを含む地図を表示部１に表示し（表示処理）、経路設定部３２（経路計算条件設定手段）が、経路計算の条件を、与えられる選択操作に応じて設定し（経路計算条件設定処理）、表示切替手段３５が、経路設定部３２で設定された条件に応じて所定のランドマーク（この例では、スマートＩＣ）の表示態様を切り替える（表示切替処理）。
【００２６】
より具体的な例としては、経路設定部３２のスマートＩＣ使用設定手段３２１が、スマートＩＣを経路に含めて使用するかどうかを、与えられる選択操作に応じて設定する（スマートＩＣ使用設定処理）。この設定に応じた表示態様の変え方は二種に大別でき、変え方の第一としては、表示切替手段３５に設けるスマートＩＣ非表示手段３５１により、スマートＩＣ使用設定手段３２１でスマートＩＣを使用しない設定をした場合には、スマートＩＣを非表示とする（スマートＩＣ非表示処理）。
【００２７】
変え方の第二としては、表示切替手段３５に設けるスマートＩＣ区別表示手段３５２により、スマートＩＣ使用設定手段３２１でスマートＩＣを使用しない設定をした場合には、スマートＩＣを他のＩＣと区別して異なる表示態様により表示する（スマートＩＣ区別表示処理）。
【００２８】
〔３．フローと表示の例〕
続いて、以上のような作用に対応する具体的な画面表示例（図２及び図３）と、処理手順のフローチャート（図４）を示す。すなわち、経路設定部３２は、ユーザから、スマートＩＣを経路に使用するかどうかの選択操作を受け付け、その選択に応じた設定内容をメモリ４に、スマートＩＣを使用する／しないといった区別の情報を設定内容として格納する。
【００２９】
地図表示では、ＨＤＤ制御部６で地図ＤＢを読み取り、この読み出したデータの中にスマートＩＣの情報があった場合、経路計算条件についての前記設定内容と比較し、この比較の結果、経路計算条件としてスマートＩＣを考慮（使用）する状態の場合は（図４のステップＳ３）、地図上のスマートＩＣについて、使用可能である旨の表示、例えば図２に例示するような通常表示、又は強調表示を行う（ステップＳ４）。
【００３０】
なお、図２のような通常表示は従来と同様となるが、従来はこのようにスマートＩＣを他の通常のＩＣと同様のランドマークで地図上に表示するしかなかったため、スマートＩＣを使う意思のないユーザは、通常のＩＣと区別が困難であったのに対し、本実施形態では、図３のような表示によりそのような困難性が解決される。
【００３１】
すなわち、経路計算条件について、スマートＩＣを使用しない状態の設定内容の場合（ステップＳ３）、スマートＩＣを必要としないユーザであるから、図３に示すように、使用不可である旨の表示、例えば地図上でスマートＩＣを非表示とするか、又は地図上のスマートＩＣを表すアイコンやフォントなどの表示のサイズ、タイプなどについて、通常のデザインとは異なった目立ちにくいもの（例えばグレイアウト）にする（ステップＳ５）。これにより、スマートＩＣを通常のＩＣと取り違うことを抑止し、また、運転者にとって必要の無い情報を画面から削減し見やすさを改善できる。
【００３２】
なお、スマートＩＣについて、常に表示する設定項目も選択可能なように実装し（ステップＳ１）、上記のような場合分けを無視して常時表示するようにすれば（ステップＳ２）、ユーザの目的や事情に適合した快適な使い勝手を提供可能となる。
【００３３】
〔４．効果〕
以上のように、本実施形態では、表示切替手段３５により、経路計算の条件に反映される使用の意思に応じて、地図上でのスマートＩＣなどランドマークの表示態様を切り替えることにより、通常のＩＣとの混同による誤進入を防止するなど、表示をわかりやすくすることが可能となる。
【００３４】
また、本実施形態では、スマートＩＣ使用設定手段３２１により、スマートＩＣを経路に含めるかという不可欠な経路計算条件設定に表示態様を連動させることで、煩わしい表示設定を不要とし、設定項目が多くなりがちな昨今のナビゲーションにおいても設定項目や操作をわかりやすく簡明化できる。
【００３５】
また、本実施形態では、スマートＩＣについて、スマートＩＣ非表示手段３５１により、運転者等に特段の表示設定操作を求めることなく、経路計算条件設定に応じ地図上での表示／非表示を容易に制御するとともに、非表示の場合は地図上の多くなりがちな表示情報のうち無駄なスマートＩＣの表示を削減し、容易に地図の見易さを向上させることができる。
【００３６】
また、本実施形態では、スマートＩＣ区別表示手段３５２により、スマートＩＣを一律に非表示とはせず、他のＩＣと区別して表示することにより、必要に応じユーザの自律的な判断を妨げず自主性を尊重可能となる。
【００３７】
〔５．他の実施形態〕
なお、本発明は、上記実施形態に限定されるものではなく、以下に例示するものやそれ以外の他の実施形態も含むものである。例えば、本発明は、スマートＩＣに限らず任意の種類の施設やランドマークに適用可能であり、また、該当するランドマークについて、非表示にすることは必須ではない。もちろん、構成（図１）、画面例（図２、図３）、フローチャート（図４）や、それぞれの内容や対応する以上の説明は例示に過ぎないので、適宜変更実施可能であることは言うまでもない。
【図面の簡単な説明】
【００３８】
【図１】本発明の実施形態の構成を示す図。
【図２】本発明の実施形態において、経路計算条件として、スマートＩＣを使用する設定の場合における地図表示例を示す図。
【図３】本発明の実施形態において、経路計算条件として、スマートＩＣを使用しない設定の場合における地図表示例を示す図。
【図４】本発明の実施形態における処理手順を例示するフローチャート。
【符号の説明】
【００３９】
１…表示部
２…ユーザインターフェース部
３…演算制御部
４…メモリ
５…音声出力部
６…ＨＤＤ制御部
３０…現在位置検出部
３１…目的地指定部
３２…経路設定部
３３…案内部
３４…地図表示部
３５…表示切替手段
３２１…スマートＩＣ使用設定手段
３５１…スマートＩＣ非表示手段
３５２…スマートＩＣ区別表示手段
【図１】
2008241390.tif 000003
【図２】
2008241390.tif 000004
【図３】
2008241390.tif 000005
【図４】
2008241390.tif 000006